(57)【特許請求の範囲】
【請求項１】
公衆回線用電話機能と、無線ＬＡＮ用ＩＰ電話機能と、両機能を用いて互いに異なる相手と同時に通話する機能と、本人の音声と一方の相手から受信した音声とを合成して他の相手に送出する機能と、双方の相手から受信した音声を合成して音声として出力する機能、および相手端末の回線使用状況を表示する機能を持つ音声会議用無線ＬＡＮ端末の回線使用状況表示方法において、
相手端末の回線使用状況を表示する機能は、無線ＬＡＮ端末と接続可能な相手の氏名、該氏名と関連付けた電話番号、該電話番号毎の回線使用状況を表示することを特徴とする、音声会議用無線ＬＡＮ端末の回線使用状況表示方法。
【請求項２】
公衆無線回線を介して通話する無線部と、無線ＬＡＮを介して通話するＩＰ無線部と、両機能を用いて互いに異なる相手と同時に通話する音声会議機能を有する情報通信端末部と、を備えた音声会議用無線ＬＡＮ端末において、
前記情報通信端末部が、本人の音声と一方の相手から受信した音声とを合成して他の相手に送出するとともに、双方の相手から受信した音声を合成して音声として出力する音声合成回路と、無線ＬＡＮ端末と接続可能な相手の氏名、該氏名と関連付けた電話番号、該電話番号毎の回線使用状況を表示する表示部と、無線ＬＡＮ端末と接続可能な相手の氏名、該氏名と関連付けた電話番号、該電話番号毎の回線使用状況を記述する回線使用状況テーブルと、該回線使用状況テーブルの内容を管理する回線使用状況テーブル管理部とを備え、
回線使用状況テーブル管理部が、通話状況に基づいて、無線ＬＡＮ端末と接続可能な相手の氏名、該氏名と関連付けた電話番号、該電話番号毎の回線使用状況を記述した前記回線使用状況テーブルを書き換えることを特徴とする音声会議用無線ＬＡＮ端末。
【発明の詳細な説明】
【技術分野】
【０００１】
本発明は、携帯電話やＰＨＳなどの公衆無線電話機能と、無線ＬＡＮ（Ｌｏｃａｌ  Ａｒｅａ  Ｎｅｔｗｏｒｋ）によるＩＰ電話などの私設無線電話機能とを併せ持つ端末により３者通話を行う場合にかかわり、特に回線の接続制御を容易とするための無線ＬＡＮ端末およびこの無線ＬＡＮ端末におけるアドレス画面（回線使用状況テーブル）の表示方式に関するものである。
【背景技術】
【０００２】
従来から、例えば、２回線のＩＳＤＮやＰＨＳなどの公衆回線を用いて自身以外の２台の端末と接続し、３者通話する場合が知られている。この場合、２回線とも同一種類の回線なのでアドレス体系が共通であり、例えば１回線目を接続し、２回線目を接続する場合も、同一のアドレス体系の中からアドレスを選択して接続すれば良い。
【０００３】
上記の公衆回線に加えて、近年、コンピュータ通信ネットワークの一つとして、無線ＬＡＮが普及し、オフィス、家庭、市街地（例えば、駅、空港、ファーストフード店）等において、盛んに利用されている。周知のように、このような無線ＬＡＮでは、アクセスポイント（以下、ＡＰと称することがある）と呼ばれる無線ＬＡＮ接続装置と無線ＬＡＮ端末間で無線通信を行う。そして、多くの無線ＬＡＮは、データリンク層のプロトコルとして、国際標準の一つであるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１が用いられ、また、ネットワーク層のプロトコルとして、ＩＰ（Ｉｎｔｅｒｎｅｔ  Ｐｒｏｔｏｃｏｌ）が用いられている。
【０００４】
以下、本発明の前提となるＩＰ通信網を介して対向する２つの無線ＬＡＮに収容される複数の無線ＬＡＮ端末装置（以下、無線ＬＡＮ端末という）を使用した通信システムについて、図面を参照して詳細に説明する。図７は、上記通信システム無線ＬＡＮを含むコンピュータネットワークシステム構成を示すシステム構成図である。本明細書において、システム内で同じ機能または働きを有する装置または部分には同じ符号を付し、それぞれの装置または部分を個別に説明するときには、符号の後に枝番を付してそれぞれを識別して説明する。
【０００５】
図７において、この無線ＬＡＮを含むコンピュータネットワークシステムは、第1のＬＡＮと第２のＬＡＮとがＩＰ（Ｉｎｔｅｒｎｅｔ  Ｐｒｏｔｏｃｏｌ）網５によって接続されている。第1のＬＡＮは、無線ＬＡＮ端末１０１−１，１０１−２，１０１−３、アクセスポイント（ＡＰ）２−１，２−２、パソコン４−１，４−２、および、ルータ３−１によって構成されている。無線ＬＡＮ端末１０１−１，１０１−２，１０１−３は、それぞれＩＥＥＥ８０２．１１に準拠して動作する無線ＬＡＮ通信機能を有する情報通信端末であって、例えば、パソコン等の情報処理装置、ＰＤＡ（Ｐｅｒｓｏｎａｌ  Ｄｉｇｉｔａｌ  Ａｓｓｉｓｔａｎｔ）等の情報端末、または、無線ＩＰ電話機等の電話端末であり、ＡＰ２との間で無線ＬＡＮ通信を行う。
【０００６】
ＡＰ２−１，２−２は、ＩＥＥＥ８０２．１１に準拠して動作する無線ＬＡＮ通信機能とＩＥＥＥ８０２．３に準拠して動作するイーサネット（登録商標）等の有線ＬＡＮ通信機能を有し、無線ＬＡＮ端末１０１との間で無線ＬＡＮ通信を行い、また、第1のＬＡＮに接続される他の通信装置（パソコン４−１，４−２、および、ルータ３−１等）との間でＬＡＮ通信を行うものである。
【０００７】
ルータ３−１は、第1のＬＡＮとＩＰ網５とに接続されており、第1のＬＡＮ上に流れるＩＰ（Ｉｎｔｅｒｎｅｔ  Ｐｒｏｔｏｃｏｌ）パケットおよびＩＰ網５から得たＩＰパケットを監視し、このＩＰパケットのＩＰヘッダ情報（宛先ＩＰアドレス情報やポート番号情報など）に基づきＩＰパケットをルーティングする通信装置であり、第1のＬＡＮ上に流れるＩＰパケットがＩＰ網５側にルーティングすべきものであると判断した場合は、これをＩＰ網５側に送出し、また、ＩＰ網５から得たＩＰパケットが第1のＬＡＮ側にルーティングすべきものであると判断した場合には、これを第1のＬＡＮ側に送出する。
【０００８】
さらに、パソコン４−１，４−２は、通常の有線用のＬＡＮボードを有するものであり、第1のＬＡＮに接続されてＩＰパケットの送受信を行い、ＩＰ通信（ＬＡＮ通信）を行うものである。
【０００９】
第２のＬＡＮは、第1のＬＡＮと同様の構成であり、無線ＬＡＮ端末１０１−４，１０１−５，１０１−６、アクセスポイント（ＡＰ）２−３，２−４、パソコン４−３，４−４、および、ルータ３−２によって構成されている。無線ＬＡＮ端末１０１−４，１０１−５，１０１−６は、それぞれＩＥＥＥ８０２．１１に準拠して動作する無線ＬＡＮ通信機能を有する端末装置であって、パソコンやＰＤＡや無線ＩＰ電話装置等からなり、ＡＰ２−３，２−４との間で無線ＬＡＮ通信を行う。
【００１０】
ＡＰ２−３，２−４は、ＩＥＥＥ８０２．１１に準拠して動作する無線ＬＡＮ通信機能とＩＥＥＥ８０２．３に準拠して動作するイーサネット（登録商標）等の有線ＬＡＮ通信機能とを有し、無線ＬＡＮ端末１０１との間で無線ＬＡＮ通信を行い、また、第２のＬＡＮに接続される他の通信装置（パソコン４−３，４−４、および、ルータ３−２等）とＬＡＮ通信を行うものである。
【００１１】
ルータ３−２は、第２のＬＡＮとＩＰ網５とに接続されており、第２のＬＡＮ上に流れるＩＰパケットおよびＩＰ網５から得たＩＰパケットを監視し、このＩＰパケットのＩＰヘッダ情報（宛先ＩＰアドレス情報やポート番号情報など）に基づきＩＰパケットをルーティングする通信装置である。第２のＬＡＮ上に流れるＩＰパケットがＩＰ網５側にルーティングすべきものであると判断した場合は、これをＩＰ網５側に送出し、また、ＩＰ網５から得たＩＰパケットが第２のＬＡＮ側にルーティングすべきものであると判断した場合は、これを第２のＬＡＮ側に送出する。
【００１２】
さらに、パソコン４−３，４−４は、通常の有線用ＬＡＮボードを有するものであり、第1のＬＡＮに接続されてＩＰパケットの送受信を行い、ＩＰ通信（ＬＡＮ通信）を行うものである。
【００１３】
以上の構成により、第1のＬＡＮ側の無線ＬＡＮ端末１０１は、第1のＬＡＮ側の他の無線ＬＡＮ端末１０１やパソコン４とＩＰ通信を行い、また、ルータ３−１、ＩＰ網５、および、ルータ３−２を経由して、第２のＬＡＮ側の無線ＬＡＮ端末１０１やパソコン４とＩＰ通信を行うことを可能な構成としている。
【００１４】
同様に、第２のＬＡＮ側の無線ＬＡＮ端末１０１は、第２のＬＡＮ側の他の無線ＬＡＮ端末１０１やパソコン４とＩＰ通信を行い、また、ルータ３−２、ＩＰ網５、および、ルータ３−１を経由して、第1のＬＡＮ側の無線ＬＡＮ端末１０１やパソコン４とＩＰ通信を行うことを可能な構成としている。
【００１５】
次に、上記通信システムを構成するアクセスポイント（ＡＰ）の構成について説明する。図８は、ＡＰ２の内部構成を示すブロック構成図である。
【００１６】
ＡＰ２は、ルータ部２Ａと、ＬＡＮ無線部２Ｂとから構成される。ＬＡＮ無線部２Ｂは、アンテナ２１と、ＲＦ（Ｒａｄｉｏ  Ｆｒｅｑｕｅｎｃｙ）部２２と、ベースバンド部２３と、ＭＡＣ（Ｍｅｄｉａ  Ａｃｃｅｓｓ  Ｃｏｎｔｒｏｌｌｅｒ）層処理部２４と、通信処理部２０と、プログラムメモリ２０−１と、ワークメモリ２０−２とを備える。
【００１７】
ＲＦ部２２と、ベースバンド部２３と、ＭＡＣ層処理部２４は、バス２９を経由して通信処理部２０に接続される。そして、通信処理部２０は、プログラムメモリ２０−１内の制御プログラムや設定データに従い、ワークメモリ２０−２を使用しつつ、ＲＦ部２２と、ベースバンド部２３と、ＭＡＣ層処理部２４とを含むＬＡＮ無線部２Ｂ全体を制御する。
【００１８】
このような構成において、ルータ部２Ａは、ネットワーク（第1のＬＡＮまたは第２のＬＡＮ）から受信したＩＰパケットのＩＰ（Ｉｎｔｅｒｎｅｔ  Ｐｒｏｔｏｃｏｌ）アドレスや、ＴＣＰ（Ｔｒａｎｓｍｉｓｓｉｏｎ  Ｃｏｎｔｒｏｌ  Ｐｒｏｔｏｃｏｌ）ポート番号またはＵＤＰ（Ｕｓｅｒ  Ｄａｔａｇｒａｍ  Ｐｒｏｔｏｃｏｌ）ポート番号を含むＩＰヘッダを参照して予め設定された規則に基づいて当該ＩＰパケットをルーティングするものである。ＬＡＮ無線部２Ｂに送出すべきＩＰパケットはＭＡＣ層処理部２４に送出する。
【００１９】
ＭＡＣ層処理部２４は、イーサネット（登録商標）規格であるＩＥＥＥ８０２．３のデータリンク層と無線ＬＡＮ規格であるＩＥＥＥ８０２．１１のデータリンク層との間で変換処理を行うものである。
【００２０】
ベースバンド部２３は、ＩＥＥＥ８０２．１１用にＭＡＣ処理されたＩＰパケットをベースバンド信号に変調し、または、ベースバンド信号を復調して元のＩＰパケットに復元するものである。
【００２１】
ＲＦ部２２は、ベースバンド部２３から受信したベースバンド信号をＩＥＥＥ８０２．１１に従って、例えばＤＳ−ＳＳ（Ｄｉｒｅｃｔ  Ｓｅｑｕｅｎｃｅ  Ｓｐｒｅａｄ  Ｓｐｅｃｔｒｕｍ）方式やＦＨ−ＳＳ方式（Ｆｒｅｑｕｅｎｃｙ  Ｈｏｐｐｉｎｇ  Ｓｐｒｅａｄ  Ｓｐｅｃｔｒｕｍ）により規定される搬送無線周波数に載せてアンテナ２１から無線信号として送出させる。逆に、アンテナ２１から受信した無線信号から搬送無線周波数を除去して元のベースバンド信号に復元し、ベースバンド部２３に送出する。
【００２２】
以下、ＩＰパケットをネットワーク（第1のＬＡＮまたは第２のＬＡＮ）からアンテナ２１経由で送出する場合の動作を説明する。
【００２３】
ＭＡＣ層処理部２４は、ネットワーク（第1のＬＡＮまたは第２のＬＡＮ）からルータ部２Ａ経由で受信したＩＰパケットのＭＡＣ層を、イーサネット（登録商標）用のＩＥＥＥ８０２．３から無線用のＩＥＥＥ８０２．１１に変換処理し、ベースバンド部２３に送出する。
【００２４】
ベースバンド部２３は、受信したＩＰパケットをこれも無線用のＩＥＥＥ８０２．１１に従って変調してベースバンド信号を生成しＲＦ部２２に送出する。
【００２５】
ＲＦ部２２は、ベースバンド部２３からのベースバンド信号を搬送無線周波数に載せ、アンテナ２１から無線信号として、無線ＬＡＮ端末１０１に向けて送出する。
【００２６】
次に、無線ＬＡＮ端末から無線信号を受信する場合の動作を説明する。アンテナ２１は、無線ＬＡＮ端末１０１から受信した無線信号をＲＦ部２２に送出する。
【００２７】
ＲＦ部２２は、無線信号から搬送無線周波数を除去して元のベースバンド信号に復元し、ベースバンド部２３に送出する。
【００２８】
ベースバンド部２３は、ベースバンド信号を復調して元のＩＰパケットに復元し、ＭＡＣ層処理部２４に送出する。
【００２９】
ＭＡＣ層処理部２４は、ＩＰパケットのＭＡＣ層を、無線用のＩＥＥＥ８０２．１１からイーサネット（商標登録）用のＩＥＥＥ８０２．３に変換処理し、ルータ部２Ａに送る。ルータ部２Ａは、受信したＩＰパケットのＩＰアドレスなどを用いて、ＬＡＮなどに転送する。
【００３０】
次に、上記通信システムを構成する無線ＬＡＮ端末の構成について説明する。図９は、無線ＬＡＮ端末１０１の内部構成を示すブロック構成図である。
【００３１】
図９において、無線ＬＡＮ端末１０１は、情報通信端末部１０１Ａと、ＬＡＮＬＡＮ無線部１０１Ｂとから構成される。
【００３２】
ＬＡＮ無線部１０１Ｂは、アンテナ１１と、ＲＦ（Ｒａｄｉｏ  Ｆｒｅｑｕｅｎｃｙ）部１２と、ベースバンド部１３と、ＭＡＣ（Ｍｅｄｉａ  Ａｃｃｅｓｓ  Ｃｏｎｔｒｏｌｌｅｒ）層処理部１４と、上位層処理部１５と、端末インタフェース部１６と、通信処理部１０と、プログラムメモリ１０−１と、ワークメモリ１０−２とを備えている。
【００３３】
ＲＦ部１２と、ベースバンド１３と、ＭＡＣ層処理部１４と、上位層処理部１５と、端末インタフェース部１６は、バス１９を経由して通信処理部１０に接続されている。
【００３４】
通信処理部１０は、プログラムメモリ１０−１内の制御プログラムや設定データに従い、ワークメモリ１０−２を使用しつつ、ＲＦ部１２と、ベースバンド処理部１３と、ＭＡＣ層処理部１４と、上位層処理部１５と、端末インタフェース部１６とを含むＬＡＮ無線部１０１Ｂ全体を制御している。
【００３５】
情報通信端末部１０１Ａは、パソコン等の情報処理装置、ＰＤＡ（Ｐｅｒｓｏｎａｌ  Ｄｉｇｉｔａｌ  Ａｓｓｉｓｔａｎｔ）等の情報端末またはＩＰ電話機等の電話端末であり、これら情報端末または電話端末から送られてきたデータや音声符号化信号を端末インタフェース部１６に送出し、または端末インタフェース部１６からのデータや音声符号化信号を受信し情報端末または電話端末に送出する。
【００３６】
ＬＡＮ無線部１０１Ｂにおいて、端末インタフェース部１６は、情報通信端末部１０１ＡとＬＡＮ無線部１０１Ｂと間を相互にデータや音声符号化信号を転送するためのインタフェースに係る処理を行うものである。
【００３７】
上位層処理部１５は、ネットワーク層／トランスポート層に係るＩＰパケット処理を行い、ネットワーク層／トランスポート層間を伝送させるものであって、ＩＰアドレスやＴＣＰポート番号またはＵＤＰポート番号を含むＩＰヘッダの付与・削除の処理を行うものである。
【００３８】
ＭＡＣ層処理部１４は、データリンク層に係るＩＰパケット処理を行うもので、ＩＥＥＥ８０２．１１に従って、データや音声バケットデータが格納されたＩＰパケットを組立てしまたは分解し、データリンク層間を伝送させるためにＭＡＣアドレスの付与・削除するものである。
【００３９】
ベースバンド部１３は、ＩＰパケットを変調してベースバンド信号を生成し、または、ベースバンド信号を復調して元のＩＰパケットに復元するものである。
【００４０】
ＲＦ部１２は、ベースバンド部１３から受信したベースバンド信号をＩＥＥＥ８０２．１１に従って搬送無線周波数に載せ、アンテナ１１から無線信号として送出する。逆に、アンテナ１１から受信した無線信号をベースバンド信号に復元し、ベースバンド部１３に送出するものである。
【００４１】
次に、情報通信端末部１Ａが生成したデータや音声符号化信号をアンテナ１１経由で送出する場合の動作を説明する。端末インタフェース部１６は、情報通信端末部１Ａからのデータや音声符号化信号を上位層処理部１５に送る。
【００４２】
上位層処理部１５は、ＩＰアドレス付与・ＴＣＰ／ＵＤＰポート番号の付与等のＩＰヘッダ処理を施してＩＰパケットを生成した後、ＭＡＣ層処理部１４に送出する。
【００４３】
ＭＡＣ層処理部１４は、上位層処理部１５からＩＰパケットにＩＥＥＥ８０２．１１の処理手順に従ったＭＡＣアドレス付与等のＭＡＣ処理を施し、ベースバンド部１３に送出する。
【００４４】
ベースバンド部１３は、受信したＩＰパケットをＩＥＥＥ８０２．１１に従って変調してベースバンド信号を生成し、ＲＦ部１２に送出する。
【００４５】
ＲＦ部１２は、ベースバンド部１３からのベースバンド信号をＩＥＥＥ８０２．１１に従って搬送無線周波数に載せ、アンテナ１１から無線信号としてＡＰ２に向けて送出する。
【００４６】
次に、アクセスポイント２から伝送された信号を受信し、情報通信端末部１Ａに出力する場合の動作を説明する。アンテナ１１が、ＡＰ２から受信した無線信号をＲＦ部１２に送出する。
【００４７】
ＲＦ部１２は、受信した無線信号から搬送無線周波数を除去してベースバンド信号に復元し、ベースバンド部１３に送出する。
【００４８】
ベースバンド部１３は、受信したベースバンド信号を復調して元のＩＰパケットに復元し、ＭＡＣ層処理部１４に送出する。
【００４９】
ＭＡＣ層処理部１４は、受信したＩＰパケットからＩＥＥＥ８０２．１１にしたがってＭＡＣアドレスを削除し、上位層処理部１５に送出する。
【００５０】
上位層処理部１５は、ＭＡＣ層処理部１４からのＩＰパケットから設定データに基づきＴＣＰ／ＵＤＰヘッダやＩＰヘッダの削除し、得られたデータや音声符号化信号を端末インタフェース部１６経由で情報通信端末部１Ａに送る。
【００５１】
上記の公衆回線と無線ＬＡＮの特徴を活用し、構内では無線ＬＡＮによるＩＰ電話で無料の通話を行い、構外では携帯電話やＰＨＳなどの公衆回線で有料だが任意の場所での通話を可能とする端末が製品化されている。これらの端末が構内にあれば、無線ＬＡＮ経由で第１のＩＰ電話と接続して通話し、同時に公衆回線経由で第２の携帯電話やＰＨＳに接続して３地点間で音声会議通話を行う３者通話をすることが可能となる。
【発明の開示】
【発明が解決しようとする課題】
【００５２】
ＩＰ電話は、携帯電話やＰＨＳと同時に通話できるが、携帯電話やＰＨＳを予め定めた回線数以上、同時に接続することは出来ない。同様に、ＩＰ電話は、複数回線のＩＰ電話と同時に通話できるが、ＩＰ電話を予め定めた回線数以上、同時に接続することは出来ない。ここでは、説明の簡単化のため、予め定めた回線数は１とし、携帯電話やＰＨＳ、およびＩＰ電話は同時には１回線しか接続できないとする。したがって、最初に公衆回線経由で携帯電話やＰＨＳに接続すると、３者通話のために次に接続するのは無線ＬＡＮ経由に限定される。
【００５３】
ここで、アドレス選択による接続操作を考える。携帯電話やＰＨＳやＩＰ電話に接続していない時は、携帯電話やＰＨＳと無線ＬＡＮは互いに異なるアドレス体系を持っているので、接続可能な全ての端末のアドレスを選択して接続可能である。しかし、例えば最初の接続として携帯電話やＰＨＳを接続した時は、２番目の接続はＩＰ電話に限定されるのでＩＰ電話のアドレスしか選択できなくなる。
【００５４】
このように異なる通信経路で３者会議を接続する場合には、選択可能なアドレスが最初の接続と２番目の接続とで変化するために、２番目の接続に関してユーザが接続可能なアドレスを認識し接続操作することが困難であるという問題がある。
【００５５】
本発明は、無線ＬＡＮ端末であって、同一の通信インタフェースで接続される通信端末の台数が制約されている時に、同一の通信インタフェース経由で制約台数以上の通信端末に接続する操作を予防でき、ユーザの接続操作を容易にできる３地点音声会議用無線ＬＡＮ端末のアドレス表示方法を提供することを目的とする。
【課題を解決するための手段】
【００５６】
上記問題を解決するために、本発明は、携帯電話やＰＨＳなどの公衆回線用電話機能と、無線ＬＡＮ用のＩＰ電話機能と、両機能を用いて互いに異なる相手と同時に通話する機能と、本人の音声と一方の相手から受信した音声とを合成して他の相手に送出する機能と、双方の相手から受信した音声を合成して音声として出力する機能、を持つ３地点音声会議用無線ＬＡＮ端末において、接続可能な相手端末のアドレス、接続不可能な相手端末のアドレス、および通信中の相手端末のアドレスを区別して表示することを特徴とする。
【００５７】
すなわち、本発明は、公衆回線用電話機能と、無線ＬＡＮ用ＩＰ電話機能と、両機能を用いて互いに異なる相手と同時に通話する機能と、本人の音声と一方の相手から受信した音声とを合成して他の相手に送出する機能と、双方の相手から受信した音声を合成して音声として出力する機能、および相手端末のアドレスを表示する機能を持つ３地点音声会議用無線ＬＡＮ端末のアドレス表示方法において、相手端末のアドレスを表示する機能に、接続可能な相手端末のアドレス、接続不可能な相手端末のアドレス、および通信中の相手端末のアドレスを区別して表示するようにした。
【００５８】
また、本発明は、公衆無線回線を介して通話する無線部と、無線ＬＡＮを介して通話するＩＰ無線部と、両機能を用いて互いに異なる相手と同時に通話する３地点音声会議機能を有する情報通信端末部と、を備えた３地点音声会議用無線ＬＡＮ端末において、前記情報通信端末部が、本人の音声と一方の相手から受信した音声とを合成して他の相手に送出するとともに、双方の相手から受信した音声を合成して音声として出力する音声合成回路と、相手端末のアドレスを表示する表示部と、相手端末の回線使用状況を記述する回線使用状況テーブルと、該回線使用状況テーブルの内容を管理する回線使用状況テーブル管理部とを備え、回線使用状況テーブル管理部が、回線使用状況テーブルの接続可能な相手端末のアドレスおよび接続不可能な相手端末のアドレスならびに通信中の相手端末のアドレスを区別して管理する。
【発明の効果】
【００５９】
上記手段を有することによって、本発明は、同一の通信インタフェースで接続される通信端末の台数が制約されている時に、２番目の接続に関してユーザが接続可能なアドレスを認識でき、同一の通信インタフェース経由で制約台数以上の通信端末に接続する操作を予防でき、ユーザの接続操作を容易にできる。
【発明を実施するための最良の形態】
【００６０】
本発明にかかる３地点音声会議用無線ＬＡＮ端末を用いた３者通話通信システムの構成と動作を、図１を用いて説明する。図中央の公衆／ＩＰ共用電話１は、携帯電話やＰＨＳなどの無線公衆網６経由で携帯電話やＰＨＳ（以下、携帯／ＰＨＳという）７に接続する。
【００６１】
公衆／ＩＰ共用電話１は、同様に無線ＬＡＮにおけるアクセスポイント（ＡＰ）２と場合によってはＩＰ通信網５経由でＩＰ電話８に接続する。すなわち、公衆／ＩＰ共用電話１が、ＩＰ電話８と同一のＬＡＮに収容されているときは、ＬＡＮ内のＡＰ２を経由してＩＰ電話８と通話可能であり、公衆／ＩＰ共用電話１が、ＩＰ電話８と同一のＬＡＮに収容されていないときは、ＬＡＮ内のＡＰ２→ルータ３（図示を省略）→ＩＰ通信網５（図示を省略）→ルータ３（図示を省略）→対向するＬＡＮを経由してＩＰ電話８と通話可能となる。
【００６２】
公衆／ＩＰ共用電話１から入力した音声信号ａは、ＩＰ電話８から受信した音声信号ｃと合成（混合）されてａ＋ｃとなり、無線公衆網６を経由して携帯／ＰＨＳ７に送出され、携帯／ＰＨＳ７から音声として出力される。
【００６３】
公衆／ＩＰ共用電話１から入力した音声信号ａは、携帯／ＰＨＳ７から受信した音声信号ｂと合成されてａ＋ｂとなり、ＡＰ２を経由してＩＰ電話８に送出され、ＩＰ電話８から音声として出力される。
【００６４】
携帯電話やＰＨＳ７から受信した音声信号ｂとＩＰ電話８から受信した音声信号ｃは合成されてｂ＋ｃとなり、公衆／ＩＰ共用電話１から音声として出力される。
【００６５】
以上により、公衆／ＩＰ共用電話１と、携帯電話やＰＨＳ７と、ＩＰ電話８は、お互いに他の２者の音声を聴取できるので、３者通話が実現する。
【００６６】
図２を用いて、本発明にかかる３地点会議通話可能の無線ＬＡＮ端末１の構成の概要を説明する。本発明にかかる携帯／ＰＨＳ共用電話１は、情報通信端末部１Ａと、ＩＰ（ＬＡＮ）無線部１Ｂと、携帯／ＰＨＳ無線部１Ｃとを有して構成される。情報通信端末部１Ａは、従来の情報通信端末としての各種機能を有しており、制御部１Ａ０１と、ＩＰ無線部インタフェース１Ａ０２と、携帯／ＰＨＳインタフェース１Ａ０３と、データ処置・通信処理部１Ａ０４と、音声合成回路１Ａ０５と、音声入出力部１Ａ０６と、回線使用状況テーブル１Ａ０７と、電話帳１Ａ０８と、回線使用状況テーブル管理部１Ａ０９と、表示部１Ａ１０と、データ入力部１Ａ１１を有している。ことに、本発明の無線ＬＡＮ端末１は、音声合成かいろ１Ａ０５と、回線使用状況テーブル１Ａ０７と、回線使用状況テーブル管理部１Ａ０９を有している点に特徴を有している。
【００６７】
制御部１Ａ０１は、無線ＬＡＮ端末１前提の動作を制御する手段である。
【００６８】
ＩＰ無線部インタフェース１Ａ０２は、ＩＰ無線部１Ｂとのインタフェースである。同様に、携帯／ＰＨＳ無線部１Ａ０３は、携帯／ＰＨＳ無線部１Ｃとのインタフェースである。
【００６９】
データ処理・通信処理部１Ａ０４は、公衆／ＩＰ共用電話１の発信処理や着信処理、その他の各種通信処理等を行う手段である。
【００７０】
音声合成回路１Ａ０５は、ＩＰ無線部１Ｂで受けた通話の音声ｃに音声入出力部１Ａ０６からの音声ａを混合（合成）した音声ａ＋ｂを携帯／ＰＨＳ無線部１Ｃへ送出する働きと、携帯／ＰＨＳ無線部１Ｃで受けた通話の音声ｂに音声入出力部１Ａ０６からの音声ａを混合（合成）した音声ａ＋ｃをＩＰ無線部１Ｂへ送出する働きと、ＩＰ無線部１Ｂで受けた通話の音声ｃと携帯／ＰＨＳ無線部１Ｃで受けた音声ｂを混合（合成）した音声ｂ＋ｃを音声入出力部１Ａ０６へ送出する働きを有している。
【００７１】
音声入出力部１Ａ０６は、通常のマイクロホンおよびスピーカであってよい。
【００７２】
回線使用状況テーブル１Ａ０７は、一つ目の通話に使用中の回線および通話先を表示するとともに、残りの使用可能な通話先（回線）を記述するテーブルである。
【００７３】
電話帳１Ａ０８は、通常の電話帳であり、通話先に対応したアドレスや回線などが記述されている。
【００７４】
回線使用状況テーブル管理部１Ａ０９は、通話状況の結果から、回線使用状況テーブル１Ａの通話中の回線やアドレス情報に基づいて、通話先の名称や使用可能な回線やアドレスを表示したり、使用できない回線やアドレスを表示するように回線使用状況テーブル１Ａ０７を書き換える手段である。
【００７５】
表示部１Ａ１０は、通常の表示機能のほかに、回線使用状況テーブルの内容を表示する。
【００７６】
図３を用いて、上記公衆／ＩＰ電話１で音声合成（音声の混合）を実施する音声合成回路１Ａ０５の一例を説明する。
【００７７】
音声合成回路１Ａ０５は、第１の第１の音声復号器５１−Ａと、第１のＤ／Ａ変換器５２−Ａと、第１の加算器５３−Ａと、第１のＡ／Ｄ変換器５４−Ａと、第１の音声符号化器５５−Ａと、第２の音声復号器５１−Ｂと、第２のＤ／Ａ変換器５２−Ｂと、第２の加算器５３−Ｂと、第２のＡ／Ｄ変換器５４−Ｂと、第２の音声符号化器５５−Ｂと、第３の加算器５６とを有して構成される。
【００７８】
携帯／ＰＨＳ７から携帯／ＰＨＳ無線部インタフェース１Ａ０３を経由して入力した音声符号化信号ｂは、第１の音声復号器５１−Ａで復号化され、第１のＤ／Ａ変換器５２−Ａで元の音声信号ｂに復元される。
【００７９】
本人が発声し公衆／ＩＰ共用電話１の音声入出力インタフェースから入力した音声信号ａと、復元された音声信号ｂとは第１の加算器５３−Ａで加算・合成されて音声信号（ａ＋ｂ）となり、第１のＡ／Ｄ変換器５４−Ａでデジタル信号に変換され、第１の音声符号器５５−Ａで音声符号化されて音声符号化信号（ａ＋ｂ）となり、ＩＰ無線部インタフェース１Ａ０２を経由してＩＰ電話器３５へと送出される。
【００８０】
同様に、ＩＰ電話８から入力した音声符号化信号ｃは、第２の音声復号器５１−Ｂで復号化され、第２のＤ／Ａ変換器５２−Ｂで元の音声信号ｃに復元される。
【００８１】
公衆／ＩＰ共用電話１の音声入出力インタフェースから入力した音声ａと、復元された音声信号ｃとは第２の加算器５３−Ｂで加算・合成されて音声信号（ａ＋ｃ）となり、第２のＡ／Ｄ変換器５４−Ｂでデジタル信号に変換され、第２の音声符号器５５−Ｂで音声符号化されて音声符号化信号（ａ＋ｃ）となり、携帯／ＰＨＳ無線部インタフェース１Ａ０３を経由して携帯／ＰＨＳ７へと送出される。
【００８２】
上記と並行して、第１のＤ／Ａ変換器５２−Ａと第２のＤ／Ａ変換器５２−Ｂの出力は、第３の加算器５６で加算・合成されて、携帯／ＰＨＳ７とＩＰ電話８からの音声信号が加算・合成された音声信号（ｂ＋ｃ）となり、公衆／ＩＰ共用電話１の音声入出力部１Ａ０６から出力されて本人に聴取される。
【００８３】
次に、携帯／ＰＨＳ７やＩＰ電話８に接続制御するための表示画面（回線使用状況テーブル）の一例を図で示す。図４は１対１で通話する場合の表示画面（回線使用状況テーブル）である。
【００８４】
図４の（１）は、通話を開始する前の表示画面の例である。本人（発信者）の無線ＬＡＮ端末と接続可能な甲、乙、丙氏の無線ＬＡＮ端末のアドレスが表示されている。各無線ＬＡＮ端末は、携帯電話（ＰＨＳ）と無線ＬＡＮによる内線電話（ＩＰ電話）が可能とし、アドレスもそれに対応して携帯用と内線用を持っている。
【００８５】
この中で、甲氏のみ現在内線の圏外にあり携帯電話でのみ接続できるので、図のように内線のアドレスの横に圏外と表示し、他のアドレスに対しては通話可と表示している。
【００８６】
本人の無線ＬＡＮ端末から乙氏と携帯電話での通話を開始すると、図４の（２）に例示するように乙氏の携帯電話は通話中と表示する。
【００８７】
本人の携帯電話が使用中なので甲氏や丙氏と携帯で通話できなくなり、携帯電話のアドレスの横に通話不可と表示する。
【００８８】
乙氏は本人と携帯で通信中なので、携帯に加えて内線で通信する意味が無く、内線のアドレスの横に通話不可と表示する。
【００８９】
甲氏や丙氏の内線と本人の内線は未使用であり乙氏の内線との通話も可能なので、乙氏の内線アドレスの横に通話可能と表示する。また、甲氏の内線は圏外であるので圏外を表示する。
【００９０】
次に、図５を用いて３者通話の場合の表示画面（回線使用状況テーブル）を説明する。図５の（１）は、通話を開始する前の表示画面の例である。回線使用状況テーブルには、本人（発信者）の無線ＬＡＮ端末と接続可能な甲、乙、丙、丁氏の無線ＬＡＮ端末のアドレスが表示されている。各無線ＬＡＮ端末は、携帯電話と無線ＬＡＮによる内線電話が可能であり、アドレスもそれに対応して携帯用と内線用を持っていると想定して説明する。
【００９１】
この中で、甲氏および丁氏は、現在内線の圏外にあり携帯電話でのみ接続できるので、図のように甲、丁氏の内線アドレスの横に圏外と表示し、他の内線アドレスの横には通話可と表示している。
【００９２】
甲氏と携帯電話での通話を開始すると、図５の（２）に例示するように、甲氏の携帯アドレスの横に通話中と表示する。
【００９３】
本人の携帯電話が使用中なので乙氏、丙氏や丁氏と携帯で通話できなくなり、それぞれの無線ＬＡＮ端末の携帯アドレスの横に通話不可と表示する。
【００９４】
甲氏は、本人と携帯で通話中なので、携帯に加えて内線で通信する意味が無く、甲氏の内線アドレスの横に通話不可と表示する。
【００９５】
乙氏や丙氏の内線と本人の内線は未使用であり通話も可能なので、各々の内線アドレスの横に通話可と表示する。
【００９６】
次に、３者通話のために、乙氏と内線で通話を開始すると、図５の（３）に例示するように乙氏の内線アドレスの横に通話中と表示する。
【００９７】
本人の携帯電話と内線が使用中なので丙氏や丁氏と携帯と内線で通話できなくなり、携帯アドレスと内線アドレスの横に通話不可と表示する。
【００９８】
最後に、甲氏との通信を切断して本人と乙氏との間の２者通信に戻ると、本人と甲氏の携帯電話の通信が停止して通話可となるので、甲、丙、丁氏の携帯アドレスの横に通話可と表示する。
【００９９】
甲氏の内線電話は本来通話可能となるべきであるが、内線が圏外なので内線アドレスの横は圏外の表示を継続する。
【０１００】
このようにして、本人は、無線ＬＡＮ端末の表示部に、相手の無線ＬＡＮ端末の回線使用状況を表示することができるので、はじめの通話から２つ目の通話の相手の通話可能な回線を容易に確認することができるので、異なるアドレスを有する通信網を介して容易に３者通話することができる。
【０１０１】
次に、本発明によるアドレス画面（回線使用状況テーブル）を用いた発信操作のフローチャートを、図６を用いて説明する。先ずは、最上部で画面操作入力の有無を調べ（Ｓ１）、無ければ再び画面操作の有無を調べる。
【０１０２】
画面操作がカーソル位置移動であれば、カーソル位置を移動し、カーソルが画面の端部に移動したらアドレス画面を上下左右にスクロールし（Ｓ２）、ステップＳ１に戻る。
【０１０３】
画面操作が接続命令であれば、カーソル位置のアドレスで接続が可能であるかを判定する（Ｓ３）。
【０１０４】
接続可能であると判断すると、カーソルで指定されたアドレスに対して接続するために発呼処理を行い、該アドレスの横に通話中と表示する。さらに、本発明の特徴である、カーソルで指定されたアドレスの通信インタフェース（例えば携帯電話やＰＨＳ、または無線ＬＡＮ）に関連する全アドレスの横に通話不可と表示し（Ｓ４）、ステップＳ１に戻る。
【０１０５】
ステップＳ３で、指定されたカーソル位置にアドレスが無い場合や、該アドレスへの接続が不可と判断すると警告音や警告画面を生成して表示し（Ｓ５）、接続を行わずにステップＳ１に戻る。
【０１０６】
ステップＳ１において、画面操作が切断命令である場合は、カーソル位置のアドレスで接続中かを判定する（Ｓ６）。
【０１０７】
接続中であると判断すると、カーソルで指定されたアドレスに対して切断処理を行い、該アドレスの横に通話可と表示する。さらに、本発明の特徴である、カーソルで指定されたアドレスの通信インタフェース（例えば、携帯電話やＰＨＳ、または無線ＬＡＮ）に関連する全アドレスの中で通話可能なアドレスを通話可と表示し（Ｓ７）、ステップＳ１に戻る。
【０１０８】
ステップＳ６で、指定されたカーソル位置にアドレスが無い場合や、該アドレスへ接続中ではないと判断すると、警告音や警告画面を生成して表示し切断を行わず（Ｓ８）に、ステップＳ１に戻る。
【０１０９】
以上は、回線状況表示テーブルのアドレスの横に通話可・通話不可（圏外）・通話中と表示する場合を説明したが、アドレス自体の表示に着色し、例えば通話可・通話不可・通話中に対応して、黒・赤・緑色でアドレスを表示しても良い。
【０１１０】
以上は、携帯／ＰＨＳ通信（公衆無線網通信）機能と、無線ＬＡＮ通信（ＩＰ通信）機能とを持つ無線ＬＡＮ端末の場合を説明したが、有線どうし、または有線と無線など、異なる通信インタフェース、またはアドレス体系を持つ端末を用いて３者通話を行う場合であれば、同様に適用できることは明らかである。
【図面の簡単な説明】
【０１１１】
【図１】本発明にかかる公衆／ＩＰ共通電話を用いた３者通信の例を説明する図。
【図２】本発明にかかる公衆／ＩＰ共用電話の構成の概要を説明する図。
【図３】本発明にかかる公衆／ＩＰ共用電話の音声合成回路の一例を説明する図。
【図４】本発明による１対１通信における回線状況テーブルの表示例を説明する図。
【図５】本発明による３者通信における回線状況テーブルの表示例を説明する図。
【図６】本発明による回線使用状況テーブルを用いた発呼および切断時の操作を説明するフローチャート。
【図７】一般的な無線ＬＡＮのシステム構成図を説明する図。
【図８】図７におけるＡＰのハ−ドウェア構成図を説明する図。
【図９】図７における無線ＬＡＮ端末のハ−ドウェア構成図を説明する図。
【符号の説明】
【０１１２】
１：公衆／ＩＰ共用電話
１Ａ：情報通信端末部
１Ａ０１：制御部
１Ａ０２：ＩＰ無線部インタフェース
１Ａ０３：携帯／ＰＨＳ無線部インタフェース
１Ａ０４：データ処理・通信処理部
１Ａ０５：音声合成回路
１Ａ０６：音声入力部
１Ａ０７：回線使用状況テーブル
１Ａ０８：電話帳
１Ａ０９：回線使用状況テーブル管理部
１Ａ１０：表示部
１Ａ１１：操作部
１Ｂ：ＩＰ（ＬＡＮ）無線部
１Ｃ：携帯／ＰＨＳ無線部
２：アクセスポイント（ＡＰ）
２Ａ：ルータ部
２Ｂ：無線部
３：ル−タ
４：パソコン（有線ＬＡＮ端末）
５：インターネット（ＩＰ）網
６：無線公衆網
７：携帯／ＰＨＳ
８：ＩＰ電話
１０：通信処理部
１０−１：プログラムメモリ
１０−２：ワークメモリ
１１：アンテナ
１２：ＲＦ部
１３：ベースバンド部
１４：ＭＡＣ処理部
１５：上位層処理部
１６：端末インタフェース部
１９：バス
２０：通信処理部
２０−１：プログラムメモリ
２０−２：ワークメモリ
２１：アンテナ
２２：ＲＦ部
２３：ベースバンド部
２４：ＭＡＣ処理部
２９：バス
５１：音声復号器
５２：Ｄ／Ａ変換器
５３：加算器
５４：Ａ／Ｄ変換器
５５：音声符号器
５０：音声符号器
５６：加算器
１０１：無線ＬＡＮ端末
１０１Ａ：情報通信端末部
１０１Ｂ：ＬＡＮ無線部
【図１】
0004804081.tif 000002
【図２】
0004804081.tif 000003
【図３】
0004804081.tif 000004
【図４】
0004804081.tif 000005
【図５】
0004804081.tif 000006
【図６】
0004804081.tif 000007
【図７】
0004804081.tif 000008
【図８】
0004804081.tif 000009
【図９】
0004804081.tif 000010